(57)【要約】【課題】外部装置を装置本体に取り付けるとき、装置本体の排気口又は吸気口が塞がれるのを抑制すると共に該外部装置を支持するための剛性を確保する。【解決手段】取付部１００は、第１開口部１０４及び第２開口部１０６が形成された装置本体１１と、画像処理装置１１０と、本体部１２２及び突出部１２４、１２５、１２６、１２７とを備えた取付プレート１２０とを有する。ここで、装置本体１１に取付プレート１２０が取り付けられたとき、装置本体１１と本体部１２２との間に空間が形成されるので、第１開口部１０４及び第２開口部１０６が取付プレート１２０で塞がれることが抑制できる。さらに、突出部１２４、１２５、１２６、１２７によって、剛性が複数方向で高くなるので、画像処理装置１１０を支持するための剛性を確保することができる。【選択図】図３
2015184550.tif 000002
【特許請求の範囲】
【請求項１】
排気口又は吸気口が形成された装置本体と、
前記装置本体に接続される外部装置と、
前記外部装置が一方側に取り付けられ他方側が前記排気口又は前記吸気口を覆うように前記装置本体に取り付けられる本体部と、前記本体部から突出され前記排気口又は前記吸気口とは異なる位置で前記装置本体と接触する複数の突出部と、を備え、前記本体部と前記装置本体との間で且つ前記本体部の中央部において交差又は分岐するように前記複数の突出部以外を流路とする取付部材と、
を有する外部装置の取付構造。
【請求項２】
前記本体部は、複数の前記排気口又は前記吸気口を覆い、
前記突出部は、一方の前記排気口又は前記吸気口と、他方の前記排気口又は前記吸気口との間で前記装置本体と接触する請求項１に記載の外部装置の取付構造。
【請求項３】
複数の前記突出部は、突出方向に見て三角形状に形成され、頂点が前記中央部を向いて配置される請求項１又は請求項２に記載の外部装置の取付構造。
【請求項４】
複数の前記突出部は、鉛直方向及び水平方向で対称配置となるように４箇所形成されている請求項３に記載の外部装置の取付構造。
【請求項５】
請求項１から請求項４のいずれか１項に記載の外部装置の取付構造と、
前記装置本体内に設けられ、前記外部装置から送られた画像情報に基づいて記録媒体に画像を形成する画像形成部と、
を有する画像形成装置。
【発明の詳細な説明】
【技術分野】
【０００１】
本発明は、外部装置の取付構造及び画像形成装置に関する。
【背景技術】
【０００２】
特許文献１の画像形成装置は、装置本体内に電装基板包括用筐体が設けられている。電装基板包括用筐体内には、機械制御用ボードと画像処理用ボードが設けられており、画像処理用ボードには、ＣＰＵ冷却用の放熱部材が設けられている。また、電装基板包括用筐体内には、外気を取り入れ放熱部材を通って電装基板包括用筐体の外側に放出させるダクト形状のケースが設けられている。
【先行技術文献】
【特許文献】
【０００３】
【特許文献１】特開２００５−８４２３５号公報
【発明の概要】
【発明が解決しようとする課題】
【０００４】
本発明は、外部装置を装置本体に取り付けるとき、装置本体の排気口又は吸気口が塞がれるのを抑制すると共に該外部装置を支持するための剛性を確保することができる外部装置の取付構造及び画像形成装置を得ることを目的とする。
【課題を解決するための手段】
【０００５】
本発明の請求項１に係る外部装置の取付構造は、排気口又は吸気口が形成された装置本体と、前記装置本体に接続される外部装置と、前記外部装置が一方側に取り付けられ他方側が前記排気口又は前記吸気口を覆うように前記装置本体に取り付けられる本体部と、前記本体部から突出され前記排気口又は前記吸気口とは異なる位置で前記装置本体と接触する複数の突出部と、を備え、前記本体部と前記装置本体との間で且つ前記本体部の中央部において交差又は分岐するように前記複数の突出部以外を流路とする取付部材と、を有する。
【０００６】
本発明の請求項２に係る外部装置の取付構造は、前記本体部は、複数の前記排気口又は前記吸気口を覆い、前記突出部は、一方の前記排気口又は前記吸気口と、他方の前記排気口又は前記吸気口との間で前記装置本体と接触する。
【０００７】
本発明の請求項３に係る外部装置の取付構造は、複数の前記突出部は、突出方向に見て三角形状に形成され、頂点が前記中央部を向いて配置される。
【０００８】
本発明の請求項４に係る外部装置の取付構造は、複数の前記突出部は、鉛直方向及び水平方向で対称配置となるように４箇所形成されている。
【０００９】
本発明の請求項５に係る画像形成装置は、請求項１から請求項４のいずれか１項に記載の外部装置の取付構造と、前記装置本体内に設けられ、前記外部装置から送られた画像情報に基づいて記録媒体に画像を形成する画像形成部と、を有する。
【発明の効果】
【００１０】
請求項１の発明は、取付部材を有していない構成に比べて、外部装置を装置本体に取り付けるとき、装置本体の排気口又は吸気口が塞がれるのを抑制すると共に該外部装置を支持するための剛性を確保することができる。
【００１１】
請求項２の発明は、突出部が一方の排気口又は吸気口と他方の排気口又は吸気口との間で装置本体と接触しない構成に比べて、流路内に外気が流入しやすくなる。
【００１２】
請求項３の発明は、複数の突出部が三角形状ではない構成に比べて、簡単な構成で複数の流路を得ることができる。
【００１３】
請求項４の発明は、複数の突出部が鉛直方向及び水平方向で非対称配置となっている構成に比べて、複数方向で取付部材の剛性のバランスがよくなる。
【００１４】
請求項５の発明は、請求項１から請求項４のいずれか１項に記載の外部装置の取付構造を有していない構成に比べて、排気口又は吸気口が塞がれて装置本体内の温度が上昇することに起因する画像不良を抑制することができる。
【図面の簡単な説明】
【００１５】
【図１】本実施形態に係る画像形成装置の全体構成図である。
【図２】本実施形態に係る画像形成装置の一部の斜視図である。
【図３】本実施形態に係る取付部の分解斜視図である。
【図４】本実施形態に係る画像処理装置及び取付プレートの斜視図である。
【図５】本実施形態に係る画像処理装置に取付プレートを取り付けた状態を示す斜視図である。
【図６】本実施形態に係る装置本体に取付プレートを取り付けた状態を示す説明図である。
【図７】本実施形態に係る装置本体と取付プレートとの間の流路を気体が流れる状態を示す説明図である。
【図８】本実施形態の変形例に係る取付プレートを示す説明図である。
【発明を実施するための形態】
【００１６】
本実施形態に係る外部装置の取付構造及び画像形成装置の一例について説明する。
【００１７】
＜全体構成＞
図１には、本実施形態の一例としての画像形成装置１０が示されている。なお、以下の説明では、図１に矢印Ｙで示す方向（Ｙ方向）を高さ方向、Ｙ方向と直交し矢印Ｘで示す方向（Ｘ方向）を幅方向とする。また、Ｙ方向及びＸ方向のそれぞれに直交する方向（Ｚ方向）を奥行き方向とする。
【００１８】
さらに、Ｘ方向、Ｙ方向、Ｚ方向のそれぞれ一方側と他方側を区別する必要がある場合は、画像形成装置１０を正面視（Ｚ方向視）して、上側をＹ側、下側を−Ｙ側、右側をＸ側、左側を−Ｘ側、奥側をＺ側、手前側を−Ｚ側と記載する。なお、本実施形態では、一例として、Ｘ方向及びＺ方向が水平方向、Ｙ方向が鉛直方向となっている。
【００１９】
画像形成装置１０は、複数のフレーム部材で構成された筐体としての装置本体１１を有している。また、画像形成装置１０には、Ｙ方向の下側から上側へ向けて、記録媒体の一例としての用紙Ｐが収容される用紙収容部１２と、用紙Ｐに画像を形成する主動作部１４と、原稿（図示省略）を読み取る原稿読取部１６とが設けられている。さらに、画像形成装置１０には、各部へ用紙Ｐを供給する供給部１８と、各部へ電力を供給する電源部１９と、主動作部１４内に設けられ画像形成装置１０の各部の動作を制御する制御部２０とが設けられている。
【００２０】
〔用紙収容部〕
用紙収容部１２は、用紙Ｐを収容可能な第１収容部２２、第２収容部２４、第３収容部２６、及び第４収容部２８を有している。第１収容部２２、第２収容部２４、第３収容部２６、及び第４収容部２８は、収容された用紙Ｐを一枚ずつ送り出す送出ロール３２と、送り出された用紙Ｐを画像形成装置１０内に設けられた搬送路３０に搬送する搬送ロール３４とを有している。
【００２１】
〔供給部〕
供給部１８は、搬送ロール３４に対して搬送路３０の下流側に配置され、用紙Ｐを一枚ずつ搬送する複数の搬送ロール３６を有している。さらに、用紙Ｐの搬送方向で搬送ロール３６に対して下流側には、位置合せロール３８が設けられている。
【００２２】
位置合せロール３８は、用紙Ｐを一端停止させると共に、後述する中間転写ベルト８２の移動に合わせて二次転写位置ＴＢへ用紙Ｐを送り出すことで、画像転写の位置合せ行うようになっている。
【００２３】
搬送路３０の上流側部分は、画像形成装置１０の正面視において、矢印Ｙ方向に向けて用紙収容部１２の−Ｘ方向側から主動作部１４の−Ｘ方向側下部まで直線状とされている。また、搬送路３０の下流側部分は、主動作部１４の−Ｘ方向側下部から主動作部１４のＸ方向側下部に設けられた排紙部１３まで延びている。さらに、搬送路３０には、用紙Ｐの両面に画像形成を行うために用紙Ｐが搬送及び反転される両面搬送路３１が接続されている。なお、両面搬送を行わないときの用紙Ｐの搬送方向は、矢印Ａで示されている。
【００２４】
両面搬送路３１は、用紙Ｐを反転させる反転部３３と、反転された用紙Ｐを搬送路３０へ送り込む送込部３５とを有する。反転部３３は、画像形成装置１０の正面視において、主動作部１４のＸ方向側下部から用紙収容部１２のＸ方向側まで矢印Ｙ方向に直線状に設けられている。送込部３５は、主動作部１４の底部に設けられており、反転部３３に搬送された用紙Ｐの後端が進入すると共に該用紙Ｐを搬送路３０へ送り込むようになっている。送込部３５における用紙Ｐの搬送方向を矢印Ｂで示す。
【００２５】
送込部３５の下流側端部は、具体的には、搬送路３０の位置合せロール３８よりも上流側に案内部材（図示省略）により接続されている。なお、図１において、搬送路３０と両面搬送路３１との切り替えを行う切替部材、及び反転部３３と送込部３５との切り替えを行う切替部材については、図示を省略する。
【００２６】
〔原稿読取部〕
原稿読取部１６は、複数の原稿（図示省略）が載せられる原稿置台４１と、１枚の原稿が載せられるプラテンガラス４２と、プラテンガラス４２に載せられた原稿を読み取る原稿読取装置４４と、読み取られた原稿が排出される原稿排出部４３とを有している。
【００２７】
原稿読取装置４４は、プラテンガラス４２に載せられた原稿に光を照射する光照射部４６と、原稿から反射された反射光をプラテンガラス４２と平行な方向に反射させて折り返す１個のフルレートミラー４８及び２個のハーフレートミラー５２とを有している。さらに、原稿読取装置４４は、フルレートミラー４８及びハーフレートミラー５２によって折り返された反射光が入射する結像レンズ５４と、結像レンズ５４によって結像された反射光を電気信号に変換する光電変換素子５６とを有している。
【００２８】
光電変換素子５６によって変換された電気信号は、後述する画像処理装置１１０（図２参照）で画像処理され、主動作部１４での画像形成に用いられるようになっている。また、フルレートミラー４８は、プラテンガラス４２に沿ってフルレートで移動し、ハーフレートミラー５２は、プラテンガラス４２に沿ってハーフレートで移動するようになっている。
【００２９】
〔主動作部〕
主動作部１４は、用紙Ｐ上に現像剤像の一例としてのトナー画像ＴＧを形成する画像形成部６０と、画像形成部６０によって用紙Ｐ上に形成されたトナー画像ＴＧを熱と圧力により用紙Ｐに定着する定着装置９０とを有している。
【００３０】
（画像形成部）
画像形成部６０は、イエロー（Ｙ）、マゼンタ（Ｍ）、シアン（Ｃ）、及びブラック（Ｋ）の各トナーに対応した像保持体６２Ｙ、６２Ｍ、６２Ｃ、６２Ｋを備える画像形成ユニット６４Ｙ、６４Ｍ、６４Ｃ、６４Ｋを有している。また、画像形成部６０は、像保持体６２Ｋ、６２Ｃ、６２Ｍ、６２Ｙの外周面に向けて光ビームＢｍを出射して露光する露光ユニット６６Ｋ、６６Ｃ、６６Ｍ、６６Ｙを有している。さらに、画像形成部６０は、画像形成ユニット６４Ｋ、６４Ｃ、６４Ｍ、６４Ｙで形成されたトナー画像ＴＧを用紙Ｐ上に転写する転写ユニット６８を有している。
【００３１】
なお、以後の説明では、Ｙ、Ｍ、Ｃ、Ｋを区別する必要がある場合は、符号の数字の後にＹ、Ｍ、Ｃ、Ｋのいずれかの英字を付して説明し、同様の構成でＹ、Ｍ、Ｃ、Ｋを区別する必要がない場合は、Ｙ、Ｍ、Ｃ、Ｋの記載を省略する。
【００３２】
露光ユニット６６は、光源（図示省略）から出射された光ビームＢｍをポリゴンミラー（符号無し）で走査すると共に反射ミラーを含む複数の光学部品で反射して、各色のトナーに対応した光ビームＢｍを像保持体６２へ向けて出射する構成となっている。また、像保持体６２は、露光ユニット６６の−Ｙ側に設けられている。
【００３３】
画像形成ユニット６４は、回転可能とされた円柱状の像保持体６２と、像保持体６２の外周面と対向して回転方向の上流側から下流側へ順に配置された帯電器７２、現像器７４、及びクリーニング部材７６とを有している。そして、帯電器７２と現像器７４は、像保持体６２の外周面で帯電器７２と現像器７４との間の位置に光ビームＢｍが照射されるように配置されている。また、像保持体６２の外周面で現像器７４とクリーニング部材７６との間の位置には、後述する中間転写ベルト８２が接触している。
【００３４】
像保持体６２は、モータ（図示省略）の駆動により回転可能となっている。帯電器７２は、一例として、ワイヤに電圧を印加してコロナ放電により像保持体６２の外周面をトナーと同極性に帯電させるコロトロン方式の帯電手段で構成されている。ここで、帯電した像保持体６２の外周面に画像データに基づいて光ビームＢｍが照射されることで、潜像（静電潜像）が形成されるようになっている。
【００３５】
現像器７４は、一例として、磁性体からなるキャリア粒子とマイナスに帯電したトナーが混合された現像剤Ｇを収容している。また、現像器７４は、周方向に複数の磁極を有するマグネットロール（図示省略）が内側に設けられた円筒状の現像スリーブを有している。そして、現像器７４は、現像スリーブが回転することにより像保持体６２と対向する部位で磁気ブラシが形成されるようになっている。
【００３６】
さらに、現像器７４は、電圧印加手段（図示省略）によって現像スリーブに現像バイアスが印加されることで、像保持体６２の外周面の潜像をトナーで顕在化させてトナー画像ＴＧ（現像剤像）を形成するようになっている。なお、各現像器７４には、画像形成部６０の上方に設けられた各トナーカートリッジ７９からトナーが供給される。
【００３７】
クリーニング部材７６は、一例として、像保持体６２の外周面と接触するブラシロールであり、像保持体６２の外周面に残留したトナーを回転により掻き落として回収するようになっている。また、像保持体６２の回転方向で現像器７４よりも下流側には、現像器７４で現像されたトナー画像が一次転写される中間転写ベルト８２が配置されている。
【００３８】
転写ユニット６８は、無端状の中間転写ベルト８２と、像保持体６２から中間転写ベルト８２上にトナー像を一次転写させる一次転写ロール８４と、中間転写ベルト８２上で重ねられたトナー画像ＴＧを用紙Ｐへ二次転写させる二次転写ロール８６とを有している。二次転写ロール８６は、一例として、中間転写ベルト８２の外側に配置されており、中間転写ベルト８２の内側に配置された補助ロール８８と共に中間転写ベルト８２を挟んでいる。なお、中間転写ベルト８２が像保持体６２及び一次転写ロール８４で挟まれる位置を一次転写位置ＴＡとし、中間転写ベルト８２が二次転写ロール８６及び補助ロール８８で挟まれる位置を二次転写位置ＴＢとする。
【００３９】
中間転写ベルト８２の内側には、回転駆動される駆動ロール９２と、回転可能に設けられた複数の搬送ロール９４とが配置されている。そして、中間転写ベルト８２は、一次転写ロール８４Ｋ、８４Ｃ、８４Ｍ、８４Ｙ、駆動ロール９２、搬送ロール９４、及び補助ロール８８に巻き掛けられている。これにより、中間転写ベルト８２は、駆動ロール９２が図示の反時計回り方向に回転すると、矢印Ｃ方向（反対時計回り方向）に周回移動するようになっている。
【００４０】
一次転写ロール８４は、一例として、ステンレス鋼などの金属で構成された円柱状のシャフトの周囲に弾性層（図示省略）が形成された構成となっており、シャフトの両端部がベアリングで支持されることにより回転可能となっている。また、一次転写ロール８４のシャフトには、電源部１９から、トナーの極性とは逆極性の電圧（正の電圧）が印加されるようになっている。
【００４１】
二次転写ロール８６は、一例として、一次転写ロール８４と同様の構成となっており、搬送路３０における位置合せロール３８の下流側に配置され回転可能に設けられている。また、二次転写ロール８６は、既述の二次転写位置ＴＢで、中間転写ベルト８２の外周面に接触している。
【００４２】
さらに、二次転写ロール８６は接地されている。そして、補助ロール８８は、二次転写ロール８６の対向電極を形成しており、補助ロール８８の外周面に接触配置された金属製の給電ロール（図示省略）を介して二次転写電圧が印加されるようになっている。ここで、補助ロール８８に二次転写電圧（負の電圧）が印加され、補助ロール８８と二次転写ロール８６との間に電位差が生じることにより、二次転写位置ＴＢに搬送される用紙Ｐ上に中間転写ベルト８２上のトナー画像ＴＧが二次転写されるようになっている。
【００４３】
用紙Ｐの移動方向で二次転写ロール８６（二次転写位置ＴＢ）よりも下流側には、トナー画像ＴＧの二次転写が終了した用紙Ｐを定着装置９０へ搬送する搬送ベルト９６が設けられている。搬送ベルト９６は、駆動ロール９８と従動ロール９７とに巻き掛けられており、駆動ロール９８の回転により周回移動するようになっている。
【００４４】
（定着装置）
定着装置９０は、一例として、２本のロール９０Ａとパッド９０Ｂとに巻き掛けられた定着ベルト９０Ｃと、定着ベルト９０Ｃをパッド９０Ｂに向けて加圧する加圧ロール９０Ｄとを有している。ロール９０Ａ内には、定着ベルト９０Ｃを加熱するヒータ９０Ｅが設けられている。そして、定着装置９０は、画像形成部６０によって用紙Ｐ上に形成されたトナー画像ＴＧを、熱と圧力により用紙Ｐに定着するようになっている。
【００４５】
（制御部）
制御部２０は、画像形成装置１０全体の制御及び各種演算を行うコンピュータとして構成されている。即ち、制御部２０は、ＣＰＵ（Central Processing Unit）、各種プログラムを記憶したＲＯＭ（Read Only Memory）、プログラム実行時に使用されるＲＡＭ（Random Access Memory）、各情報を記憶する不揮発性メモリ、及び入出力インターフェースを有する。なお、ＣＰＵ、ＲＯＭ、ＲＡＭ、不揮発性メモリ、及び入出力インターフェースの図示は省略する。
【００４６】
＜全体構成の動作＞
図１に示す画像形成装置１０において、用紙Ｐに画像を形成する場合には、各像保持体６２が帯電器７２によって帯電される。そして、各像保持体６２の帯電後、後述する画像処理装置１１０で画像処理された画像情報に基づき各露光ユニット６６から出射された光ビームＢｍによって露光され、像保持体６２に静電潜像が形成される。
【００４７】
続いて、各像保持体６２の外周面に形成された静電潜像は、現像器７４によって、それぞれイエロー（Ｙ）、マゼンタ（Ｍ）、シアン（Ｃ）、黒（Ｋ）の各色のトナー像として現像される。そして、各像保持体６２の表面に形成された各トナー像は、一次転写位置ＴＡで中間転写ベルト８２上に順次、多重転写される。そして、中間転写ベルト８２上に多重転写されたトナー画像ＴＧは、二次転写位置ＴＢで、搬送路３０を搬送されてきた用紙Ｐ上に二次転写される。
【００４８】
続いて、トナー画像ＴＧが転写された用紙Ｐは、搬送ベルト９６により定着装置９０に向けて搬送される。そして、定着装置９０では、用紙Ｐ上のトナー画像ＴＧが、加熱及び加圧されることで定着される。トナー画像ＴＧが定着された用紙Ｐは、一例として、排紙部１３に排出される。このようにして、一連の画像形成工程が行われる。なお、画像が形成されていない非画像面にトナー画像ＴＧを形成する場合（両面画像形成の場合）は、定着装置９０で表面に画像定着を行った後、用紙Ｐを両面搬送路３１に送り込んで裏面の画像形成及び定着を行う。
【００４９】
＜要部構成＞
次に、取付部１００について説明する。
【００５０】
図２には、画像形成装置１０のＺ側の一部が示されている。画像形成装置１０の一例として、画像形成装置１０のＺ側でＸ側且つ−Ｙ側の部位には、外部装置の取付構造の一例としての取付部１００が設けられている。
【００５１】
取付部１００は、装置本体１１と、外部装置及び画像処理部の一例としての画像処理装置１１０と、画像処理装置１１０を装置本体１１に取り付ける取付部材の一例としての取付プレート１２０とを有している。
【００５２】
〔装置本体〕
図３に示すように、装置本体１１は、画像形成装置１０のＺ側を覆う複数の外装カバー１０２を有している。なお、複数の外装カバー１０２のうち、画像処理装置１１０が取り付けられるものを外装カバー１０３として区別する。
【００５３】
外装カバー１０３は、Ｘ−Ｙ面に沿った背板１０３Ａを有している。背板１０３Ａの中央に対してＹ側には、吸気口の一例としての複数の第１開口部１０４が形成されている。また、背板１０３Ａの中央に対して−Ｙ側には、排気口の一例としての複数の第２開口部１０６が形成されている。複数の第１開口部１０４と複数の第２開口部１０６は、Ｙ方向に間隔をあけて並んでいる。
【００５４】
複数の第１開口部１０４には、それぞれルーバー１０４Ａが設けられており、外装カバー１０３の内側と外側との気体の流通を可能にすると共に、外装カバー１０３の外側からの異物（埃など）の侵入を抑制している。また、複数の第２開口部１０６には、それぞれルーバー１０６Ａが設けられており、外装カバー１０３の内側と外側との気体の流通を可能にすると共に、外装カバー１０３の外側からの異物（埃など）の侵入を抑制している。
【００５５】
背板１０３Ａにおける複数の第１開口部１０４よりもＹ側で且つＸ側及び−Ｘ側の部位、及び複数の第２開口部１０６よりもＸ側及び−Ｘ側の部位には、一例として、４つの締結孔（図示省略）が形成されている。この４つの締結孔には、取付プレート１２０を背板１０３Ａに取り付ける取付ネジ１０８が締結されるようになっている。そして、取付プレート１２０が取付ネジ１０８により背板１０３Ａに取り付けられた状態では、背板１０３ＡをＺ方向に見て、複数の第１開口部１０４及び複数の第２開口部１０６が、取付プレート１２０で覆われるようになっている。
【００５６】
〔画像処理装置〕
画像処理装置１１０は、一例として、画像処理プログラムが記憶されたパーソナルコンピュータである。また、画像処理装置１１０は、直方体状の筐体１１２を有している。筐体１１２の背面側（図示のＸ側）には、ケーブル（図示省略）を介して画像形成装置１０内の基板（図示省略）に接続される第１接続部１１４と、ケーブルを介して電源部１９に接続され、電源部１９から電力供給される第２接続部１１６とが設けられている。
【００５７】
画像処理装置１１０は、画像形成装置１０又は外部から入力された画像データをイエロー（Ｙ）、マゼンタ（Ｍ）、シアン（Ｃ）、ブラック（Ｋ）の４色の階調データに処理（画像処理）するようになっている。画像処理された画像情報は、画像形成部６０（図１参照）に送られる。なお、筐体１１２は、Ｚ方向に見て、第１開口部１０４及び第２開口部１０６を覆う大きさとなっている。
【００５８】
ここで、画像形成装置１０における入出力用の各ケーブルの接続部（図示省略）は、装置本体１１内のＺ側（奥側であり裏側）に配置されている。また、各ケーブル（図示省略）は、必要以上に長くすると、ノイズが生じるなどの懸念がある。これらの理由により、本実施形態では、画像処理装置１１０を外装カバー１０３（第１開口部１０４及び第２開口部１０６）のＺ側に配置するようになっている。
【００５９】
図４に示すように、筐体１１２の−Ｚ側の側板１１３には、筐体１１２に取付プレート１２０を締結するための締結孔１１３Ａが形成されている。なお、図４では、３つの締結孔１１３Ａを示しているが、実際は、４つの締結孔１１３Ａが形成されている。また、締結孔１１３Ａには、ネジ１１５（図５参照）を締結可能となっている。
【００６０】
〔取付プレート〕
図４に示すように、取付プレート１２０は、一例として、板状の本体部１２２と、本体部１２２から一方側（装置本体１１側）に突出された４つの突出部１２４、１２５、１２６、１２７とを有している。
【００６１】
（本体部）
本体部１２２は、Ｚ方向に見て四角形状に形成されており、第１開口部１０４及び第２開口部１０６を覆う大きさとなっている。また、本体部１２２の四隅には、それぞれ一方側（装置本体１１側）に突出され装置本体１１に取り付けられる４箇所の被取付部１３２が形成されている。さらに、本体部１２２には、筐体１１２の４箇所の締結孔１１３Ａの位置に合わせて、板厚方向（Ｚ方向）に貫通する４箇所の貫通孔１２２Ａが形成されている。
【００６２】
４箇所の被取付部１３２は、いずれもＸ−Ｙ面に沿った板状の部位である。また、４箇所の被取付部１３２の本体部１２２からの高さ（Ｚ方向の突出量）はＨ（図５参照）となっている。各被取付部１３２には、Ｚ方向に見て鍵孔形状の貫通孔１３４が形成されている。貫通孔１３４は、取付ネジ１０８（図３参照）のネジ頭を挿入可能な大きさの円形の第１孔部１３４Ａと、第１孔部１３４Ａの周方向の一部から径方向に延びる長孔状の第２孔部１３４Ｂとを有している。
【００６３】
（突出部）
図６に示すように、突出部１２４、１２５、１２６、１２７は、一例として、装置本体１１に取付プレート１２０を取り付けた状態において、Ｚ方向に見て（透過状態で）、第１開口部１０４及び第２開口部１０６とは異なる位置に配置されている。具体的には、突出部１２４、１２５、１２６、１２７は、Ｚ方向（突出方向）に見て、第１開口部１０４と第２開口部１０６との間に配置されており、第１開口部１０４及び第２開口部１０６を覆わないようになっている。なお、図６では、突出部１２４、１２５、１２６、１２７を示すため、画像処理装置１１０を取付プレート１２０から外した状態で示している。
【００６４】
また、突出部１２４、１２５、１２６、１２７は、Ｚ方向（突出方向）に見て、それぞれ三角形状の底部１２９を有しており、Ｚ側から見て凹状に形成されている。底部１２９は、Ｘ−Ｙ面に沿っており、本体部１２２からの高さ（Ｚ方向の突出量）はＨ（図５参照）となっている。そして、底部１２９が装置本体１１と接触するようになっている。
【００６５】
さらに、突出部１２４、１２５、１２６、１２７は、各底部１２９における三角形の頂点Ｐ１、Ｐ２、Ｐ３、Ｐ４が、本体部１２２の中央部を向いて配置されている。本体部１２２の中央部とは、本体部１２２においてＸ方向の中央であり且つＹ方向の中央となる部位である。なお、突出部１２４が本体部１２２の中央部に対して−Ｙ側に配置され、突出部１２５が本体部１２２の中央部に対してＹ側に配置されている。また、突出部１２６が本体部１２２の中央部に対してＸ側に配置され、突出部１２７が本体部１２２の中央部に対して−Ｘ側に配置されている。
【００６６】
加えて、突出部１２４、１２５、１２６、１２７は、一例として、同じ形状及び同じ大きさとされ、Ｙ方向及びＸ方向で対称配置となっている。そして、突出部１２４、１２５、１２６、１２７は、本体部１２２と装置本体１１との間で且つ本体部１２２の中央部において、交差又は分岐するように気体（図示省略）が流れるように流路Ｋ１、Ｋ２、Ｋ３、Ｋ４を形成している。
【００６７】
流路Ｋ１は、突出部１２４と突出部１２６とで挟まれた空間である。流路Ｋ２は、突出部１２４と突出部１２７とで挟まれた空間である。流路Ｋ３は、突出部１２５と突出部１２６とで挟まれた空間である。流路Ｋ４は、突出部１２５と突出部１２７とで挟まれた空間である。また、一例として、流路Ｋ１と流路Ｋ４は直線状に配置されており、流路Ｋ２と流路Ｋ３は直線状に配置されている。
【００６８】
なお、突出部１２４は、Ｚ方向に見て、三角形の底辺に相当する側が第２開口部１０６のＹ側に位置している。即ち、突出部１２４は、第１開口部１０４と第２開口部１０６との間で装置本体１１と接触し、第２開口部１０６からＹ方向に沿って第１開口部１０４へ向かう流路の一部を遮断するように配置されている。
【００６９】
（画像処理装置の取り付け）
図５に示すように、ネジ１１５を用いて取付プレート１２０（本体部１２２）のＺ側（一方側の一例）に画像処理装置１１０の筐体１１２を取り付ける。一方、図３に示すように、外装カバー１０３の締結孔（図示省略）に取付ネジ１０８をゆるんだ状態で設ける。
【００７０】
続いて、図３に示す取付プレート１２０において、第１孔部１３４Ａに取付ネジ１０８のネジ頭を挿入する。これにより、外装カバー１０３と、被取付部１３２及び突出部１２４、１２５、１２６、１２７とが接触する。この後、取付プレート１２０が−Ｙ側に下がることで、第２孔部１３４Ｂ内に取付ネジ１０８の軸部（図示省略）が配置される。この状態で取付ネジ１０８を締めることで、図６に示すように、本体部１２２の−Ｚ側（他方側の一例）が第１開口部１０４及び第２開口部１０６を覆うように装置本体１１に取り付けられる。即ち、装置本体１１に取付プレート１２０を介して画像処理装置１１０が取り付けられる。
【００７１】
ここで、装置本体１１に取付プレート１２０が取り付けられたことにより、本体部１２２と装置本体１１との間で且つ本体部１２２の中央部に、交差又は分岐するように流路Ｋ１、Ｋ２、Ｋ３、Ｋ４が形成される。なお、流路Ｋ１、Ｋ２、Ｋ３、Ｋ４以外の部位にも流路は形成される。即ち、取付プレート１２０は、装置本体１１と本体部１２２との間で、突出部１２４、１２５、１２６、１２７以外を流路とする。
【００７２】
＜作用＞
次に、本実施形態の作用について説明する。
【００７３】
図７に示すように、取付部１００では、装置本体１１に取付プレート１２０が取り付けられたとき、装置本体１１と底部１２９が接触することで、装置本体１１と本体部１２２との間に空間が形成される。これにより、第１開口部１０４及び第２開口部１０６が取付プレート１２０で塞がれることが抑制される。
【００７４】
また、取付部１００では、突出部１２４、１２５、１２６、１２７が、本体部１２２に対して、流路Ｋ１、Ｋ２、Ｋ３、Ｋ４が分岐又は交差するように配置されている。このため、突出部が一方向に沿って形成されたものと比べて、取付プレート１２０の曲げ剛性が複数方向で高くなる（複数方向で曲げ応力への耐性が上がる）。これにより、取付部１００では、画像処理装置１１０（図２参照）の質量が大きい場合でも、画像処理装置１１０を支持するための剛性（取り付け剛性）が確保される。
【００７５】
ここで、第２開口部１０６から排気された気体（空気）の一部は、装置本体１１内で温められているため、取付プレート１２０と装置本体１１との間を通って、取付プレート１２０の外側へ流れる（流れＦＬ１）。また、第２開口部１０６から排気された気体の他の一部は、流路Ｋ１に沿って中央部へ流れ（流れＦＬ２）、あるいは、流路Ｋ２に沿って中央部へ流れる（流れＦＬ３）。中央部へ到達した気体は、流路Ｋ３に沿って斜め上方へ流れ（流れＦＬ４）、あるいは、流路Ｋ４に沿って斜め上方へ流れる（流れＦＬ５）。そして、流れＦＬ４及び流れＦＬ５は、流れＦＬ６として上方へ流れ、取付プレート１２０の外側へ流れるか、あるいは、第１開口部１０４で吸気される。
【００７６】
このように、取付部１００では、突出部１２４、１２５、１２６、１２７により形成された複数の流路Ｋ１、Ｋ２、Ｋ３、Ｋ４が、第２開口部１０６の上方で交差又は分岐される。このため、流路Ｋ１、Ｋ２、Ｋ３、Ｋ４が交差又は分岐されていないものと比べて、第２開口部１０６から排気された気体が上方へ流れやすくなる。
【００７７】
さらに、取付部１００では、突出部１２４が、第２開口部１０６から第１開口部１０４へ向かう流路の一部を遮断しているので、突出部１２４が無い構成に比べて、第２開口部１０６から排気されると共に中央部へ向かう気体の量が減少する。これにより、取付プレート１２０の外側から内側へ流入した外気ＦＬ７が、流路Ｋ１及び流路Ｋ２内に流入しやすくなる。そして、第２開口部１０６から排気された気体の温度が、流入した外気によって冷却される。
【００７８】
なお、突出部１２４が無い比較例としては、排気された気体を吸気する流路、吸気する空気を互いに取り合い吸気しにくくなる流路、排気された空気が押されて排気がしにくくなる流路を有するものが挙げられる。
【００７９】
加えて、取付部１００では、突出部１２４、１２５、１２６、１２７が三角形状に形成されており、頂点Ｐ１、Ｐ２、Ｐ３、Ｐ４が本体部１２２の中央部を向いて配置されている。これにより、本体部１２２の中央部に向かう直線状の流路が複数形成される（三角形の斜辺に相当する部位が流路を形成する）。このため、突出部が四角形状のものに比べて、簡単な構成で複数の流路が得られる。また、突出部１２４、１２５、１２６、１２７の周囲を流れる気体の流路の長さが、四角形状のものに比べて短くなるので、第２開口部１０６から第１開口部１０４までの気体の流れがよくなる。
【００８０】
また、取付部１００では、突出部１２４、１２５、１２６、１２７が、Ｙ方向及びＸ方向で対称配置となっており、流れＦＬ２と流れＦＬ５とのずれや、流れＦＬ３と流れＦＬ４とのずれが抑制されている。これにより、流れＦＬ２と流れＦＬ５、流れＦＬ３と流れＦＬ４が直線状に配置されるので、複数の突出部が非対称配置のものと比べて、気体の流れがよくなる。
【００８１】
さらに、取付部１００では、突出部１２４、１２５、１２６、１２７が対称配置であるため、各方向で取付プレート１２０の曲げ剛性が同様となる。これにより、ある方向では曲げ剛性が高いが、他の方向では曲げ剛性が低いということが抑制されるので、複数方向で取付プレート１２０の曲げ剛性のバランスがよくなる。即ち、取付部１００全体としての取り付け剛性が上がる。
【００８２】
画像形成装置１０では、取付部１００を有することにより、第１開口部１０４及び第２開口部１０６が画像処理装置１１０で塞がれることが抑制される。これにより、取付部１００を有していない構成に比べて、装置本体１１内の温度や湿度が上昇することに起因する画像不良（一例として、画像濃度の変動）が抑制される。
【００８３】
なお、本発明は上記の実施形態に限定されない。
【００８４】
（変形例）
図８には、本実施形態の変形例として、取付部材の一例としての取付プレート１４０が示されている。取付プレート１４０は、既述の取付部１００（図２参照）において、取付プレート１２０（図２参照）に換えて設けられている。なお、取付プレート１２０を除く他の構成は取付部１００と同様であるため、説明を省略する。また、取付プレート１２０と基本的に同一の部位には、同一の符号を付与してその説明を省略する。
【００８５】
取付プレート１４０は、Ｚ方向に見て四角形状の本体部１４２を有している。本体部１４２の四隅には、被取付部１３２が形成されており、被取付部１３２には貫通孔１３４が形成されている。また、本体部１４２には、−Ｚ側へ向けて突出した突出部１２５、１４３、１４４が形成されている。
【００８６】
突出部１２５、１４３、１４４は、装置本体１１（図２参照）に取付プレート１４０を取り付けた状態において、Ｚ方向に見て（透過状態で）、第１開口部１０４及び第２開口部１０６とは異なる位置に配置されている。具体的には、突出部１２５、１４３、１４４は、Ｚ方向に見て、第１開口部１０４と第２開口部１０６との間となる位置に配置されており、第１開口部１０４及び第２開口部１０６を覆わないようになっている。
【００８７】
また、突出部１２５、１４３、１４４は、Ｚ方向（突出方向）に見て、それぞれ三角形状の底部１２９を有している。底部１２９は、Ｘ−Ｙ面に沿っており、本体部１４２からの高さ（Ｚ方向の突出量）はＨ（図示省略）となっている。
【００８８】
さらに、突出部１２５、１４３、１４４は、各底部１２９における三角形の頂点Ｐ２、Ｐ５、Ｐ６が、本体部１４２の中央部を向いて、それぞれ１２０[°]ずれて配置されている。本体部１４２の中央部とは、本体部１４２においてＸ方向の中央であり且つＹ方向の中央となる部位である。なお、突出部１４３は突出部１２５に対してＸ側且つ−Ｙ側に配置されており、突出部１４４は突出部１２５に対して−Ｘ側且つ−Ｙ側に配置されている。加えて、突出部１２５、１４３、１４４は、同じ形状及び同じ大きさとされている。
【００８９】
装置本体１１（図２参照）に取付プレート１４０が取り付けられたとき、装置本体１１と底部１２９が接触することで、装置本体１１と本体部１４２との間に空間が形成される。これにより、変形例では、第１開口部１０４及び第２開口部１０６が取付プレート１４０で塞がれることが抑制される。なお、突出部１２５と突出部１４３との間が流路Ｋ５、突出部１２５と突出部１４４との間が流路Ｋ６、突出部１４３と突出部１４４との間が流路Ｋ７となっている。
【００９０】
ここで、第２開口部１０６から排気された気体（空気）の一部は、流路Ｋ７を上方に流れて流路Ｋ５又は流路Ｋ６を流れ、取付プレート１４０の外側へ流れる（流れＦＬ８、流れＦＬ９）。また、第２開口部１０６から排気された気体の他の一部は、突出部１４３又は突出部１４４に案内されて取付プレート１４０の外側へ流れる（流れＦＬ１０）。さらに、取付プレート１４０の外側から内側へ流入した外気ＦＬ１１は、突出部１２５のＸ側又は−Ｘ側を上方へ流れ、第１開口部１０４で吸気され、あるいは、取付プレート１４０の外側へ流れる。
【００９１】
このように、変形例では、突出部１２５、１４３、１４４が、本体部１４２に対して、流路Ｋ５、Ｋ６、Ｋ７が分岐又は交差するように配置されている。このため、突出部が一方向に沿って形成されたものと比べて、取付プレート１４０の曲げ剛性が複数方向で高くなる（複数方向で曲げ応力への耐性が上がる）。そして、変形例では、画像処理装置１１０（図２参照）の質量が大きい場合でも、画像処理装置１１０を支持するための取り付け剛性が確保される。
【００９２】
（他の変形例）
本実施形態は、第１開口部１０４が吸気口で第２開口部１０６が排気口のものに限らず、第１開口部１０４が排気口で第２開口部１０６が吸気口であってもよい。この場合、第２開口部１０６からの排気が外気に変わるが、気体の流れとしては同様の作用となる。また、第１開口部１０４及び第２開口部１０６が吸気口の場合は、排気が外気に変わることになり、第１開口部１０４及び第２開口部１０６が排気口の場合は、本実施形態と同様となる。さらに、第１開口部１０４及び第２開口部１０６の一方が無くてもよい。
【００９３】
突出部は、三角形状のものに限らず、他の多角形状や円形状であってもよい。また、複数の突出部の配置は、頂点が中央部を向くものに限らず、頂点が中央部を向いていないものであってもよい。さらに、突出部は、流路の一部を遮断しないものであってもよい。加えて、複数の突出部は、異なる形状及び異なる大きさとなっていてもよい。また、複数の突出部は、非対称配置となっていてもよい。
【００９４】
さらに、突出部は、本体部１２２、１４２と一体のものに限らず、別体で本体部に取り付けられるものでもよい。
【００９５】
取付部１００を設ける場所は、装置本体１１のＺ側に限らず、Ｘ側、−Ｘ側であってもよい。
【符号の説明】
【００９６】
１０  画像形成装置
１１  装置本体
６０  画像形成部
１００  取付部（外部装置の取付構造の一例）
１０４  第１開口部（吸気口の一例）
１０６  第２開口部（排気口の一例）
１１０  画像処理装置（外部装置及び画像処理部の一例）
１２０  取付プレート（取付部材の一例）
１２２  本体部
１２４  突出部
１２５  突出部
１２６  突出部
１２７  突出部
１４０  取付プレート（取付部材の一例）
【図１】
2015184550.tif 000003
【図２】
2015184550.tif 000004
【図３】
2015184550.tif 000005
【図４】
2015184550.tif 000006
【図５】
2015184550.tif 000007
【図６】
2015184550.tif 000008
【図７】
2015184550.tif 000009
【図８】
2015184550.tif 000010